(57)【要約】      （修正有）【課題】施工現場近傍で大量の骨材を効率よく表面処理することが出来る舗装用骨材の表面処理方法及びその表面処理装置。【解決手段】表面処理装置は、荷台が傾倒するダンプカートラック１の載置台表面を液漏れ防止手段３により覆った移動及び傾倒可能な載置台２と、前記載置台２上に所定量積載させた骨材Ｗの表面に表面処理剤Ｑを一定量散布した後、前記載置台２を傾倒させて余剰の表面処理剤Ｑを回収する回収装置４と、前記表面処理剤Ｑが塗布された骨材Ｗの表面を加熱乾燥する加熱乾燥炉５とで構成されている。液漏れ防止手段３は、載置台表面を覆い、かつ表面処理剤が外部に漏洩しない樹脂製シートであり、載置台２の隅部に沿って敷設されている。回収装置４は、余剰表面処理剤Ｑｘを回収する通常のポリバケツやドラム缶のような容器であり、また、前記加熱乾燥炉５には、図示しないヒータ等を内装してある。【選択図】図４
2008267053.tif 000002
【特許請求の範囲】
【請求項１】
移動可能で、かつ傾倒可能な載置台上に静置状態で積載させた骨材の表面に、表面処理剤を一定量散布し、前記骨材全表面に表面処理剤を塗布することを特徴とする舗装用骨材の表面処理方法。
【請求項２】
前記表面処理剤は、人手またはロボット等により定量の表面処理剤を骨材の表面に均一に散布する請求項１に記載の舗装用骨材の表面処理方法。
【請求項３】
前記骨材に散布した後の表面処理剤を自動的に回収して再利用する請求項１または２に記載の舗装用骨材の表面処理方法。
【請求項４】
前記骨材の真比重が（ρ）、平均粒径が（２ｒ)cm 、全重量が(W) ｇであるとき、0.01(W)/（ρｒ）ｇ以上の表面処理剤を散布する請求項１，２または３に記載の舗装用骨材の表面処理方法。
【請求項５】
前記表面処理剤が均一に塗布された骨材は、その後、加熱乾燥炉の加熱乾燥手段により表面処理剤を乾燥する請求項１，２，３または４に記載の舗装用骨材の表面処理方法。
【請求項６】
載置台表面を液漏れ防止手段により覆った移動及び傾倒可能な載置台と、前記載置台上に積載させた骨材の表面に表面処理剤を一定量散布した後、前記載置台を傾倒させて余剰の表面処理剤を回収する回収装置と、前記表面処理剤が塗布された骨材の表面を加熱乾燥する加熱乾燥手段とで構成したことを特徴とする舗装用骨材の表面処理装置。
【請求項７】
前記液漏れ防止手段が、載置台表面を覆い、かつ表面処理剤が外部に漏洩しない樹脂製シートである請求項６に記載の舗装用骨材の表面処理装置。
【請求項８】
前記回収装置が、余剰表面処理剤を回収する容器である請求項６または７に記載の舗装用骨材の表面処理装置。
【請求項９】
前記加熱乾燥手段が、加熱乾燥炉である請求項６，７または８に記載の舗装用骨材の表面処理装置。
【請求項１０】
前記移動及び傾倒可能な載置台が、トラックの傾倒可能な荷台である請求項６，７，８または９に記載の舗装用骨材の表面処理装置。
【発明の詳細な説明】
【技術分野】
【０００１】
この発明は、舗装用骨材の表面処理方法及びその表面処理装置に係わり、更に詳しくは施工現場近傍で大量の骨材（無機骨材，または無機骨材に有機骨材を含む）を効率よく表面処理することが出来る舗装用骨材の表面処理方法及びその表面処理装置に関するものである。
【背景技術】
【０００２】
従来、舗装用の骨材を樹脂バインダー（結合剤）との結合性を良好にするために、予め骨材を表面処理する方法が行われている（例えば、特許文献１参照）。
【０００３】
前記舗装用の骨材には、硅砂，自然石，人工石等の破砕物から成る無機系骨材や、この無機系骨材と粒状ゴムや粉砕ゴム，木片，クルミ殻等の植物系チップ，樹脂中空フィラー等から成る有機系骨材との混合骨材等があり、特に無機系骨材の場合には、結合性を良好にするために表面処理剤としてシラン系、チタネート系等のカップリング剤が使用されている。
【０００４】
ところで、骨材の表面処理方法としては、例えば、骨材をミキサー等で攪拌しながら表面処理剤またはその溶液を滴下する方法、骨材を水に分散させた後、攪拌しながら表面処理剤またはその溶液を滴下する方法等がある。
【０００５】
然しながら、このような従来の表面処理方法は、いずれも少量の処理方法には適しているが、舗装用骨材のように大量の処理には適しておらず、多くの手間と時間がかかると言う問題があった。
【特許文献１】特開２００１−１３９８０１号公報
【発明の開示】
【発明が解決しようとする課題】
【０００６】
この発明はかかる従来の問題点に着目し、施工現場近傍で大量の骨材を効率よく表面処理することが出来る舗装用骨材の表面処理方法及びその表面処理装置を提供することを目的とするものである。
【課題を解決するための手段】
【０００７】
この発明は上記目的を達成するため、この発明の舗装用骨材の表面処理方法は、移動可能で、かつ傾倒可能な載置台上に静置状態で積載させた骨材の表面に、表面処理剤を一定量散布し、前記骨材全表面に表面処理剤を塗布することを要旨とするものである。
【０００８】
ここで、前記表面処理剤は、人手またはロボット等により定量の表面処理剤を骨材の表面に均一に散布し、また前記骨材に散布した後の表面処理剤を自動的に回収して再利用するものである。また、前記骨材の真比重が（ρ）、平均粒径が（２ｒ)cm 、全重量が(W) ｇであるとき、0.01(W)/（ρｒ）ｇ以上の表面処理剤を散布する。更に前記表面処理剤が均一に塗布された骨材は、その後、加熱乾燥炉の加熱乾燥手段により表面処理剤を乾燥するものである。
【０００９】
また、この発明の舗装用骨材の表面処理装置は、載置台表面を液漏れ防止手段により覆った移動及び傾倒可能な載置台と、前記載置台上に積載させた骨材の表面に表面処理剤を一定量散布した後、前記載置台を傾倒させて余剰の表面処理剤を回収する回収装置と、前記表面処理剤が塗布された骨材の表面を加熱乾燥する加熱乾燥手段とで構成したことを要旨とするものである。
【００１０】
ここで、前記液漏れ防止手段が、載置台表面を覆い、かつ表面処理剤が外部に漏洩しない樹脂製シートであり、前記回収装置が、余剰表面処理剤を回収する容器である。また前記加熱乾燥手段が、加熱乾燥炉であり、前記移動及び傾倒可能な載置台が、トラックの傾倒可能な荷台である。
【００１１】
このように、移動及び傾倒可能な載置台上に静置状態で積載させた骨材の表面に、表面処理剤を一定量散布し、前記骨材全表面に表面処理剤を塗布することにより、施工現場近傍で大量の骨材を効率よく表面処理することが出来るものである。
【００１２】
ここで、施工現場近傍とは、例えば、アスファルト合材を取り扱うプラント等、加熱炉等の加熱乾燥設備を有している場所を言う。
【発明の効果】
【００１３】
この発明は、上記のように構成したので、施工現場近傍で骨材を攪拌する必要がなく、大量の骨材を効率よく表面処理することが出来、また骨材に散布した後の表面処理剤を自動的に回収して再利用することが可能であるため経済的であって、表面処理した骨材は、加熱乾燥手段により骨材の表面を加熱乾燥するので、舗装用骨材を効率良く製造することが出来る効果がある。
【発明を実施するための最良の形態】
【００１４】
以下、添付図面に基づき、この発明の実施形態を説明する。
【００１５】
図１〜図３は、この発明の舗装用骨材の表面処理方法を実施するための表面処理装置に使用するダンプカートラックの正面図と、平面図と、背面図、図４（ａ）〜（ｄ）は、舗装用骨材の表面処理方法の工程説明図を示し、前記表面処理装置は、一般の荷台が傾倒する移動可能なダンプカートラック１を使用し、このダンプカートラック１の載置台表面２ａを液漏れ防止手段３により覆った移動及び傾倒可能な載置台２と、前記載置台２上に所定量（例えば、１０ton 前後) 積載させた骨材Ｗの表面に表面処理剤Ｑを一定量散布した後、前記載置台２を傾倒させて余剰の表面処理剤Ｑを回収する回収装置４と、前記表面処理剤Ｑが塗布された骨材Ｗの表面を加熱乾燥する加熱乾燥炉５とで構成されている。
【００１６】
前記液漏れ防止手段３は、載置台２の載置台表面２ａを覆い、かつ表面処理剤が外部に漏洩しない樹脂製シートであり、この樹脂製シートは、特に載置台２の隅部に沿って敷設されている。また、前記回収装置４は、余剰表面処理剤Ｑｘを回収する通常のポリバケツやドラム缶のような容器であり、また、前記加熱乾燥炉５には、図示しないヒータ等を内装してある。
【００１７】
前記表面処理剤Ｑが塗布された骨材Ｗは、ダンプカートラック１の載置台表面２ａから加熱乾燥炉５のホッパー５ａに直接投入するか、または図示しないホィールローダー等を使用して間接的に投入する方法がある。
【００１８】
また、載置台２上に積載させた骨材Ｗの表面に表面処理剤Ｑを一定量散布する手段としては、図４（ｂ）に示すように、表面処理剤Ｑを収容した容器６から図示しないポンプを備えたホース７により吸い出して人手や、またはロボット等により噴射ノズル８から均一に噴射させて散布させるものである。
【００１９】
次に、上記のような表面処理装置を使用しての舗装用骨材の表面処理方法を図４（ａ）〜（ｄ）を参照しながら説明する。
【００２０】
先ず、図１〜図３に示すような移動可能で、かつ傾倒可能なダンプカートラック１の載置台２上に所定量の舗装用の骨材Ｗ（硅砂，自然石，人工石等の破砕物から成る無機系骨材や、この無機系骨材と粒状ゴムや粉砕ゴム，木片，クルミ殻等の植物系チップ，樹脂中空フィラー等から成る有機系骨材との混合骨材等）を静置状態で積載させる場合に、予め載置台２の載置台表面２ａの隅部に沿って、液状の表面処理剤Ｑ（シラン系、チタネート系等のカップリング剤）が外部に液漏れしたり、漏洩しない樹脂製シート等の液漏れ防止手段３を敷設しておく。
【００２１】
そして所定量の舗装用の骨材Ｗを静置状態でバラズミで積載させた状態で施工現場までダンプカートラック１により搬送（図４（ａ））し、施工現場近傍（例えば、アスファルト合材を取り扱うプラント等、加熱炉等の加熱乾燥設備を有している場所を言う）にて静置状態で積載させた骨材Ｗの表面に上記のような表面処理剤Ｑを人手またはロボット等により一定量散布し、前記骨材全表面に表面処理剤Ｑを塗布する（図４（ｂ））。
【００２２】
即ち、前記骨材の真比重が（ρ）、平均粒径が（２ｒ)cm 、全重量が(W) ｇであるとき、0.01(W)/（ρｒ）ｇ以上の表面処理剤Ｑを散布する。好ましくは、0.04(W)/（ρｒ）ｇ以上あれば、散布の多少のバラツキがあっても表面処理効果があることが判った。この場合、表面処理の濃度は、その種類と効果の期待レベルに応じて任意に設定出来るが、0.1 〜0.5%が経済的に効果的である。
【００２３】
具体的には、表面処理剤Ｑを収容した容器６から図示しないポンプを備えたホース７により吸い出して人手や、またはロボット等により噴射ノズル８から均一に噴射させて散布させるものである。
【００２４】
そして、骨材全表面に表面処理剤Ｑの塗布が完了したら、前記ダンプカートラック１の載置台２を所定角度（α）傾倒させることにより、樹脂製シート等の液漏れ防止手段３が敷設された載置台表面２ａから余剰の表面処理剤Ｑｘや、骨材Ｗを通過した余剰面処理剤Ｑｘが傾斜した載置台２の下方に向かって流れ出し、載置台２の傾斜した下方開口端からポリバケツやドラム缶のような容器等の回収装置４により自動的に回収する（図４（ｃ））。
【００２５】
そして、回収した余剰面処理剤Ｑｘは、再び再利用するが、その際、容量が不足する場合には表面処理剤Ｑを補給して再利用するものである。
【００２６】
このようにして、表面処理剤Ｑが均一に塗布された骨材Ｗは、その後、加熱乾燥炉５としてのヒータ，直火等を内装した加熱乾燥炉５により表面処理剤Ｑを乾燥し、自然冷却させて施工現場に運搬して使用する。
【００２７】
以上のように、この発明の実施形態では、施工現場近傍で骨材Ｗを攪拌する必要がなく、大量の骨材Ｗを効率よく表面処理することが出来、また骨材Ｗに散布した後の表面処理剤Ｑを自動的に回収して再利用することが可能であるため経済的であって、表面処理した骨材Ｗは、加熱乾燥手段５により骨材Ｗの表面を加熱乾燥するので、舗装用骨材を効率良く製造することが出来るものである。
【図面の簡単な説明】
【００２８】
【図１】この発明の舗装用骨材の表面処理方法を実施するための表面処理装置に使用するダンプカートラックの正面図である。
【図２】図１の平面図である。
【図３】図１の背面図である。
【図４】（ａ）〜（ｄ）は、舗装用骨材の表面処理方法の工程説明図である。
【符号の説明】
【００２９】
１  ダンプカートラック
２  載置台
２ａ  載置台表面
３  液漏れ防止手段
４  回収装置
５  加熱乾燥炉
５ａ  ホッパー
６  容器
７  ホース
８  噴射ノズル
Ｗ  骨材
Ｑ  表面処理剤
Ｑｘ  余剰表面処理剤
【図１】
2008267053.tif 000003
【図２】
2008267053.tif 000004
【図３】
2008267053.tif 000005
【図４】
2008267053.tif 000006